(57)【要約】【課題】ゴミ被覆体を容易かつ迅速に展開及び片づけることが可能であって、さらに、不使用状態で周囲の美観を損ねることのないゴミ被覆保護装置を提供する。【解決手段】ゴミＧを保護するためのゴミ被覆体１と、ゴミ被覆体１の基端側を取着するためのシャフト２と、シャフト２を左右水平状軸心Ｌａ廻りに回転自在に支持する左右一対の支持部材３，３と、シャフト２に連結されシャフト２を左右水平状軸心Ｌａ廻りに回転させるための手動ハンドル４と、を備え、手動ハンドル４にてシャフト２を回転させてゴミ被覆体１を巻き取るように構成した。【選択図】図１
2017001847.tif 000002
【特許請求の範囲】
【請求項１】
ゴミ（Ｇ）を保護するためのゴミ被覆体（１）と、該ゴミ被覆体（１）の基端側を取着するためのシャフト（２）と、該シャフト（２）を左右水平状軸心（Ｌａ）廻りに回転自在に支持する左右一対の支持部材（３）（３）と、該シャフト（２）に連結され該シャフト（２）を上記左右水平状軸心（Ｌａ）廻りに回転させるための手動ハンドル（４）と、を備え、
上記手動ハンドル（４）にて上記シャフト（２）を回転させて上記ゴミ被覆体（１）を巻き取るように構成したことを特徴とするゴミ被覆保護装置。
【請求項２】
ゴミ集積所（Ｚ）に設置される基枠部材（６）を備え、
上記基枠部材（６）は、基台（60）と、該基台（60）から上方突出状の支柱部（61）と、上記一対の支持部材（３）（３）を保持する保持部（62）と、メッセージを表示するための表示部（63）と、を有する請求項１記載のゴミ被覆保護装置。
【請求項３】
上記支持部材（３）は、ゴミ集積所（Ｚ）の少なくとも一側面を形成している固定部材（Ｋ）に固着するための取着具（９）を、備えている請求項１記載のゴミ被覆保護装置。
【請求項４】
上記ゴミ被覆体（１）は、上記ゴミ（Ｇ）の上方側と左右側方側と手前側に配設される第１被覆部（10Ａ）と、上記ゴミ（Ｇ）の後方側に配設される第２被覆部（10Ｂ）と、を備え、１本の上記シャフト（２）に巻き取られるように構成した請求項１，２又は３記載のゴミ被覆保護装置。
【請求項５】
上記ゴミ被覆体（１）は、上記シャフト（２）の巻き取り長さ（Ｓ２）よりも長い幅寸法（Ｓ１）を有し、シャフト巻き取り状態で、左右端縁に折り返し重ね部（19）（19）が形成されている請求項１，２，３又は４記載のゴミ被覆保護装置。
【請求項６】
上記シャフト（２）は、ラジアル方向に貫設した複数の通し孔（25）を備え、
上記ゴミ被覆体（１）の基端側を、上記通し孔（25）に結束バンド（５）を挿通して取着した請求項１，２，３，４又は５記載のゴミ被覆保護装置。
【発明の詳細な説明】
【技術分野】
【０００１】
本発明は、ゴミ被覆保護装置に関する。
【背景技術】
【０００２】
従来、ゴミ集積所に置かれたゴミを、カラスや猫等の鳥獣から保護するネットが公知である（例えば、特許文献１参照）。
【先行技術文献】
【特許文献】
【０００３】
【特許文献１】特開２０１５−３４０７５公報
【発明の概要】
【発明が解決しようとする課題】
【０００４】
しかし、ネットやシート等のゴミ被覆体を展開する作業や片づける作業には、手間と時間がかかるといった問題があった。また、ゴミ集積所にゴミ被覆体が乱雑に折り畳まれたままであると、周囲の美観が損なわれるという問題があった。
【０００５】
そこで、本発明は、ゴミ被覆体を容易かつ迅速に展開及び片づけることが可能であって、さらに、不使用状態で周囲の美観を損ねることのないゴミ被覆保護装置の提供を目的とする。
【課題を解決するための手段】
【０００６】
上記目的を達成するために、本発明のゴミ被覆保護装置は、ゴミを保護するためのゴミ被覆体と、該ゴミ被覆体の基端側を取着するためのシャフトと、該シャフトを左右水平状軸心廻りに回転自在に支持する左右一対の支持部材と、該シャフトに連結され該シャフトを上記左右水平状軸心廻りに回転させるための手動ハンドルと、を備え、上記手動ハンドルにて上記シャフトを回転させて上記ゴミ被覆体を巻き取るように構成したものである。
【０００７】
また、ゴミ集積所に設置される基枠部材を備え、上記基枠部材は、基台と、該基台から上方突出状の支柱部と、上記一対の支持部材を保持する保持部と、メッセージを表示するための表示部と、を有するものである。
あるいは、上記支持部材は、ゴミ集積所の少なくとも一側面を形成している固定部材に固着するための取着具を、備えているものである。
【０００８】
また、上記ゴミ被覆体は、上記ゴミの上方側と左右側方側と手前側に配設される第１被覆部と、上記ゴミの後方側に配設される第２被覆部と、を備え、１本の上記シャフトに巻き取られるように構成したものである。
また、上記ゴミ被覆体は、上記シャフトの巻き取り長さよりも長い幅寸法を有し、シャフト巻き取り状態で、左右端縁に折り返し重ね部が形成されているものである。
また、上記シャフトは、ラジアル方向に貫設した複数の通し孔を備え、上記ゴミ被覆体の基端側を、上記通し孔に結束バンドを挿通して取着したものである。
【発明の効果】
【０００９】
本発明によれば、ゴミ被覆体展開作業とゴミ被覆体片づけ作業を一人で容易かつ迅速に行うことができる。しかも、熟練者でなくてもゴミ被覆体を美しくコンパクトに片づけることができ、不使用状態で周囲の美観を損ねずに保管できる。ゴミ被覆体を使用するためや、収納するために搬送する必要がなく、ゴミ被覆体の準備や片づけにかかる手間と時間を削減できる。
【図面の簡単な説明】
【００１０】
【図１】本発明の実施の一形態の使用展開状態の正面図である。
【図２】使用展開状態を示す断面側面図である。
【図３】使用展開状態を示す斜視図である。
【図４】シャフト巻き取り状態を示す正面図である。
【図５】シャフト巻き取り状態を示す側面図である。
【図６】他の実施形態のシャフト巻き取り状態を示す正面図である。
【図７】他の実施形態のシャフト巻き取り状態を示す側面図である。
【図８】他の実施形態のゴミ被覆体展開状態を示す正面図である。
【図９】他の実施形態のゴミ被覆体展開状態を示す断面側面図である。
【図１０】ゴミ被覆体とシャフトの取着部の一例を示す要部拡大断面図である。
【図１１】ゴミ被覆体とシャフトの取着部の他例を示す要部拡大断面図である。
【発明を実施するための形態】
【００１１】
以下、図示の実施形態に基づき本発明を詳説する。
本発明に係るゴミ被覆保護装置は、図１乃至図３に示すように、ゴミ集積所Ｚに置かれたゴミＧを保護するためのゴミ被覆体１と、ゴミ被覆体１の基端側を取着するための１本のシャフト２と、シャフト２を左右水平状軸心Ｌａ廻りに回転自在に支持する左右一対の支持部材３，３と、シャフト２の一端部に連結されそのシャフト２を左右水平状軸心Ｌａ廻りに回転させるための手動ハンドル４と、ゴミ集積所Ｚに設置され上記一対の支持部材３，３を保持する基枠部材６と、を備えている。
【００１２】
ゴミ被覆体１は、可撓面状であって、カラスや猫等の鳥獣がゴミＧに接近して荒らし、ゴミＧが散乱するのを防止するためのものである。
ゴミ被覆体１は、図例のような合成樹脂製のネット、或いは、図示省略するが、ブールーシートや幌等の合成樹脂製のシート等である。
ゴミ被覆体１は、ゴミＧの上方側と左右側方側と手前側に配設されゴミＧを保護するための第１被覆部10Ａと、ゴミＧの後方側に配設されゴミＧを保護するための第２被覆部10Ｂと、を備えている。第１被覆部10Ａは第２被覆部10Ｂよりも幅広にかつ前後に長く設けている。
【００１３】
ゴミ被覆体１の第１被覆部10Ａは、シャフト２の巻き取り長さ（有効幅）Ｓ２よりも、長い幅寸法Ｓ１を有している。そして、ゴミ被覆体１は、基端側から先端側に渡って縦線状に形成した左右一対の折り返し用のクセ条部13，13を有している。
なお、第２被覆部10Ｂに左右一対の折り返し用のクセ条部13，13を設けても良い。
【００１４】
クセ条部13は、使用展開状態のゴミ被覆体１の左右側縁部を左右内方へ容易に折曲げることができるようにクセづけしたものであって、ゴミ被覆体１がネットの場合は、ネットを形成するための網体に紐状芯材を縫着して形成、又は、網目を形成するネット糸同士を、網目を潰すように束ねて形成したものである。
また、ゴミ被覆体１がネット或いはシートの場合は、加熱して熱変形による折り目を形成したものである。
【００１５】
そして、一方のクセ条部13（13Ａ）の左右外側縁から他方のクセ条部13（13Ｂ）の左右外側縁までのクセ部（最長）間隔寸法Ｓ１３を、上記巻き取り長さＳ２よりも短く形成している。
【００１６】
シャフト２は、図10に示すように、パイプ状であって、ラジアル方向に貫通する通し孔25を有している。通し孔25は、左右方向に複数並設している。
そして、ゴミ被覆体１がネットの場合は、樹脂製の結束バンド５を通し孔25に挿通させると共にネットの網目を通して、ネットの基端側をシャフト２に取着している。
また、図示省略するが、ゴミ被覆体１がシートの場合は、樹脂製の結束バンド５を通し孔25に挿通させると共にシートの基端縁部に形成したハトメ孔又は貫孔を通して、シートの基端側をシャフト２に取着する。
【００１７】
図10に示したゴミ被覆体１とシャフト２の取着部の一例では、ゴミ被覆体１は、第１被覆部10Ａを形成するための１枚の第１被覆基体11と、第２被覆部10Ｂを形成するための１枚の第２被覆基体12と、を備え、第１・第２被覆基体11，12の基端側を重ねて、シャフト２に取着している。
なお、図11に示す他例のように、第１被覆部10Ａ及び第２被覆部10Ｂを形成するための１枚の被覆基体10の基端側を前後方向に折り返してシャフト２に取着して、前方側を第１被覆部10Ａとし、後方（ゴミ奥側）に配設される折り返し部を第２被覆部10Ｂとするも良い。
【００１８】
図１に示すように、支持部材３は、シャフト２の端部に外嵌状に取着するベアリングや無給ブッシュ等の軸受部材31と、軸受部材31が前後左右上下方向に移動するのを規制するプランマブロックやピローブロック等の軸受ケーシング（ホルダ）32と、を備えている。
【００１９】
図１乃至図３に示すように、基枠部材６は、ゴミ集積所Ｚに設置されるコンクリート製のブロック状の基台60と、重しとなる基台60から上方突出状に設けた１本の金属製の支柱部61と、支柱部61に連結され一対の支持部材３，３を支持する二股形状の金属製の保持部62と、一対の支持部材３，３の夫々の上部に上方突出状に固着される左右一対の金属製の柱部64，64と、柱部64の上端に連結されると共にメッセージを表示するための矩形状の表示部63と、を有している。
【００２０】
表示部63は、柱部64に固着される金属製の枠状部（看板用枠部材）63ａを有し、その枠状部63ａの前面に、メッセージが表示された板状部（看板部材）63ｂが設けられている。表示部63は、看板用枠部材63ａ及び看板部材63ｂの一方のみで構成するも良い。
なお、本発明において、メッセージとは、文字に限らず絵や図形、写真も含む。例えば、会社名や店舗のロゴマーク、商品広告の絵や写真、ゴミ集積所Ｚ近傍の案内図や地図等を含む。
【００２１】
ゴミ被覆体１を片づける場合は、図１乃至図３に示した使用展開状態から、ゴミ被覆体１の第１被覆部10Ａの左右側縁部を左右内方へ折り曲げる。クセ条部13，13によって、容易に、シャフト２の巻き取り長さＳ２よりも短い幅寸法（クセ部間隔寸法Ｓ１３に同等）に折り畳まれる。また、ゴミ被覆体１の基端側がシャフト２に取着されているので一人でも容易に折り畳むことができる。
【００２２】
ゴミ被覆体１を折り畳んだ後、手動ハンドル４を左右水平状軸心Ｌａ廻りに回転させると、１本のシャフト２に第１被覆部10Ａ及び第２被覆部10Ｂが重なってロール状に巻き取られる。ゴミ被覆体１は、シャフト２の両端部にある一対の支持部材３，３に引っ掛かること無く、スムーズに巻き取られる。
【００２３】
そして、図４及び図５に示すように、ゴミ被覆体１がシャフト２にロール状に巻き取られたシャフト巻き取り状態で、ロール状のゴミ被覆体１の左右端縁にクセ条部13，13が配設されると共に折り返し重ね部19，19が形成される。
【００２４】
ここで、基枠部材６は、ゴミ被覆体１をロール状に保持する（ゴミ被覆体１の自重による垂れ下がりを防止する）ための巻き止め手段７を備えている。
巻き止め手段７は、フック部材71ａが先端部に固着されると共に基端部が基枠部材６（の表示部63）の背面側かつシャフト２よりも上方位置に固着された可撓性部材71と、基枠部材６（の表示部63の下端縁部63ｄ）の前面側かつシャフト２よりも上方位置で前方突出状に設けられたリング状の掛かり止め部材72と、を備えている。そして、可撓性部材71と掛かり止め部材（リング部材）72とを左右一対設けている。
可撓性部材71は、中間部が伸縮自在なゴムロープやゴムベルト等の弾性線材で形成している。
【００２５】
巻き止め手段７は、可撓性部材71を、基枠部材６の背面側からシャフト２に巻着したロール状のゴミ被覆体１の下方を通って、Ｕ字状に配設し、基枠部材６の前面側でフック部材71ａを掛かり止め部材72に係止させることで、ゴミ被覆体１のロール状態を保持する。
なお、ゴミ被覆体使用展開状態では、可撓性部材71は、第２被覆部10Ｂよりも後方位置で垂下状に配設される（図２参照）。
【００２６】
また、図４に於て、保持部62は、一方の支持部材３（３Ａ）の軸受ケーシング32の下面に固着する第１縦柱部62ａと、他方の支持部材３（３Ｂ）の軸受ケーシング32の下面に固着する第２縦柱部62ｂと、第１縦柱部62ａと第２縦柱部62ｂの下端部を左右方向に連結すると共に支柱部61の上端に固着される横柱部62ｃと、を有する横倒コの字状に形成され、左右一対の支持部材３，３を介して、シャフト２を橋架状に支持している。
第１縦柱部62ａと第２縦柱部62ｂによって、シャフト２と横柱部62ｃが所定の上下離間寸法をもって配設され、横柱部62ｃとシャフト２の間にゴミ被覆体巻き取り用のシャフト下方空間を形成している。
また、左右一対の柱部64，64によって、表示部63の下端縁部63ｄとシャフト２とは所定の上下間隙寸法をもって配設され、表示部63とシャフト２の間にゴミ被覆体巻き取り用のシャフト上方空間部を形成している。
このように、下から順に、基台60、支柱部61、支持部62、シャフト２、表示部63と上下方向に配設することで、シャフト巻き取り状態において、表示部63とロール状のゴミ被覆体１を前後方向略同位置に配設でき、装置全体を前後方向に薄いスタンド（自立）看板型に形成できて、ゴミ集積所Ｚを有効に使用できる。また、シャフト２及び支持部材３よりも上方位置に表示部63を配設しているため、メッセージを読む際にゴミ被覆体１が邪魔にならない。
【００２７】
そして、ゴミ被覆体１を展開させる場合は、掛かり止め部材72からフック部材71ａを離脱させ、ゴミ被覆体１（第１被覆部10Ａ）の先端縁部を把持して手前側に、手動にて引き出すことで、シャフト２が回転し、ゴミ被覆体１はシャフト２からスムーズに繰り出される。また、第２被覆部10Ｂは、自重にて垂下して展開し、垂れ幕状にゴミＧの後方側に配設される。そして、折り曲げていた第１被覆部10Ａを左右方向に展開し、ゴミ被覆体１がゴミＧの上方側と左右側方側（左右外方側）と手前側に配設され、ゴミＧを保護する（鳥獣によるゴミの散乱を防止する）。
【００２８】
次に、他の実施形態について説明する。
図６乃至図９に示すように、ブロック塀やコンクリート壁等の固定部材Ｋによって少なくとも一側面が形成されるゴミ集積所Ｚに設置されるものであって、ゴミＧを保護するためのゴミ被覆体１と、ゴミ被覆体１の基端側を取着するためのシャフト２と、シャフト２を左右水平状軸心Ｌａ廻りに回転自在に支持する左右一対の支持部材３，３と、シャフト２に連結されシャフト２を左右水平状軸心Ｌａ廻りに回転させるための手動ハンドル４と、を備え、手動ハンドル４にてシャフト２を回転させてゴミ被覆体１を巻き取るように構成している。
【００２９】
そして、支持部材３は、シャフト２の端部に外嵌状に取着する軸受部材31と、軸受部材31が前後左右上下方向に移動するのを規制する軸受ケーシング32と、を備え、さらに、固定部材Ｋの上部乃至中間部に固着するための取着具９を備えている。
【００３０】
取着具９は、軸受ケーシング32に取着されたシャコ万力やコ型クランプ等のバイス90から成る。
図例においては、ゴミ集積所Ｚの背面を形成する背面側固定部材Ｋ（Ｋ１）の上縁部に、バイス90のコの字状のフレーム91を跨がせて、フレーム91に螺着している押圧ボルト部材92を螺進させて、固着している。つまり、シャフト２を背面側固定部材Ｋ１の上縁部に沿って左右水平状に設置している。
【００３１】
また、図示省略するが、ゴミ集積所Ｚの左右一方側面を形成する左右一方側固定部材Ｋ（Ｋ２）と、左右他方側面を形成する左右他方側固定部材Ｋ（Ｋ３）とに、夫々、バイス90のフレーム91を跨がらせて、固着させても良い。つまり、シャフト２を、支持部材３を介して左右側固定部材Ｋ２，Ｋ３に橋架状に配設しても良い。
【００３２】
他の構成（ゴミ被覆体１とシャフト２、及び、シャフト２とゴミ被覆体１の取着構造等）は、図１乃至図５、及び、図10と図11を用いて説明した実施形態と同様である。なお、図６乃至図９においてクセ条部13を図示省略している。
【００３３】
また、図示省略するが、シャフト巻き取り状態においてゴミ被覆体１をロール状に保持するための可撓性部材を備えても良い。
【００３４】
なお、本発明は、設計変更可能であって、ゴミ被覆体１をシャフト２に取着する構造は、樹脂製線材や針金等を用いても良い。あるいは、通し孔25をネジ孔とし、ネジ部材にて取着しても良い。シャフト２や基枠部材６は、鉄やステンレス等の金属製に限らず、塩ビパイプ等の樹脂製であっても良い。図６乃至図９の実施形態において、シャフト２を、外筒部材と内筒部材で二重筒状に構成し、左右方向に伸縮自在に設けるも良い。表示部63は、矩形状に限らず、円形状や非円形状等自由である。巻き止め手段７は、面状ファスナーの雌雄を表裏に夫々有するベルト状部材とするも良い。手動ハンドル４は、シャフト２の一端部に着脱自在に設けて良い。また、手動ハンドル４の握り部を左右内方へ折り畳み（曲げ）自在に構成しても良い。固定部材Ｋは、金網や柵等であっても良い。取着具９は、左右水平状軸心Ｌａに直交する軸心廻りに回転自在に軸受ケーシング32に取着しても良い。取着具９は、柵等の固定部材Ｋに巻着可能な巻き付けベルト締結具とするも良い。
【００３５】
以上のように本発明のゴミ被覆保護装置は、ゴミＧを保護するためのゴミ被覆体１と、ゴミ被覆体１の基端側を取着するためのシャフト２と、シャフト２を左右水平状軸心Ｌａ廻りに回転自在に支持する左右一対の支持部材３，３と、シャフト２に連結されシャフト２を左右水平状軸心Ｌａ廻りに回転させるための手動ハンドル４と、を備え、手動ハンドル４にてシャフト２を回転させてゴミ被覆体１を巻き取るように構成したので、ゴミ被覆体展開作業とゴミ被覆体片づけ作業を一人で容易かつ迅速に行うことができる。しかも、熟練者でなくてもゴミ被覆体１をロール状に美しくコンパクトに片づけることができ、ゴミ被覆体不使用状態で、周囲の美観を損ねずに保管できる。ゴミ被覆体１を使用するためや収納するために搬送する必要がなく、ゴミ被覆体１の準備や片づけにかかる手間と時間を削減できる。電源等の動力源が必要無く、省エネの面からも優れている。構造が簡素で故障の虞れが少なく、保守・点検等の手間を削減できる。
【００３６】
また、ゴミ集積所Ｚに設置される基枠部材６を備え、基枠部材６は、基台60と、基台60から上方突出状の支柱部61と、一対の支持部材３，３を保持する保持部62と、メッセージを表示するための表示部63と、を有するので、ゴミ集積所Ｚを、案内図や広告を表示するスペースとして有効利用できる。装置全体がスタンド型看板形状となって、周囲の美観を損ねることなく、常時、ゴミ集積所Ｚに設置できる。
【００３７】
あるいは、支持部材３は、ゴミ集積所Ｚの少なくとも一側面を形成している固定部材Ｋに固着するための取着具９を、備えているので、構造が簡素で、周囲の美観を損ねずにゴミ集積所Ｚに一体状に設置できる。製造を容易かつ迅速に行うことができる。
【００３８】
また、ゴミ被覆体１は、ゴミＧの上方側と左右側方側と手前側に配設される第１被覆部10Ａと、ゴミＧの後方側に配設される第２被覆部10Ｂと、を備え、１本の上記シャフト２に巻き取られるように構成したので、ゴミ被覆体１を効率良く展開でき、様々な方向からゴミＧを保護できる。第１被覆部10Ａと第２被覆部10Ｂとを一人でも容易に素早くシャフト２に巻き取るとこができる。
【００３９】
また、ゴミ被覆体１は、シャフト２の巻き取り長さＳ２よりも長い幅寸法Ｓ１を有し、シャフト巻き取り状態で、左右端縁に折り返し重ね部19，19が形成されているので、シャフト２の巻き取り長さＳ２よりも幅広くゴミＧを保護できる。つまり、左右幅の広いゴミ集積所Ｚに対応できる。言い換えると、幅広のゴミ被覆体１を、コンパクトに片づけることができる。
【００４０】
また、シャフト２は、ラジアル方向に貫設した複数の通し孔25を備え、ゴミ被覆体１の基端側を、通し孔25に結束バンド５を挿通して取着したので、ゴミ被覆体１を容易に強い締め付け力をもって取着できる。ゴミ被覆体１が劣化や破損した場合に、結束バンド５をニッパーやハサミ等の切断工具で切断することで、容易に交換できる。様々な種類（網目）のゴミ被覆体１をシャフト２に取着できる。シャフト２を容易に（安価に）製作できる。
また、ゴミ被覆体１をネットとする場合は、所望の位置や長さで容易にシャフト２に取着させることができる。
また、ゴミ被覆体１をシートとする場合は、ゴミＧが雨や雪で濡れるのを防止できる。また、ゴミＧを周囲から隠して美観を向上できる。
【符号の説明】
【００４１】
１  ゴミ被覆体
２  シャフト
３  支持部材
４  手動ハンドル
５  結束バンド
６  基枠部材
９  取着具
10Ａ  第１被覆部
10Ｂ  第２被覆部
19  折り返し重ね部
25  通し孔
60  基台
61  支柱部
62  保持部
63  表示部
Ｇ  ゴミ
Ｋ  固定部材
Ｌａ  左右水平状軸心
Ｓ１  幅寸法
Ｓ２  巻き取り長さ
Ｚ  ゴミ集積所
【図１】
2017001847.tif 000003
【図２】
2017001847.tif 000004
【図３】
2017001847.tif 000005
【図４】
2017001847.tif 000006
【図５】
2017001847.tif 000007
【図６】
2017001847.tif 000008
【図７】
2017001847.tif 000009
【図８】
2017001847.tif 000010
【図９】
2017001847.tif 000011
【図１０】
2017001847.tif 000012
【図１１】
2017001847.tif 000013
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
ゴミ（Ｇ）を保護するためのゴミ被覆体（１）と、該ゴミ被覆体（１）の基端側を取着するためのシャフト（２）と、該シャフト（２）を左右水平状軸心（Ｌａ）廻りに回転自在に支持する左右一対の支持部材（３）（３）と、該シャフト（２）に連結され該シャフト（２）を上記左右水平状軸心（Ｌａ）廻りに回転させるための手動ハンドル（４）と、を備え、
上記手動ハンドル（４）にて上記シャフト（２）を回転させて上記ゴミ被覆体（１）を巻き取るように構成したゴミ被覆保護装置であって、
上記支持部材（３）は、上記シャフト（２）の端部に外嵌状に取着されるベアリングから成る軸受部材（31）と、該軸受部材（31）の移動を阻止する軸受ケーシング（32）と、ゴミ集積所（Ｚ）の少なくとも一側面を形成している固定部材（Ｋ）に固着するための取着具（９）と、を備え、
上記取着具（９）は、上記軸受ケーシング（32）の下面側に取着されたコの字状のフレーム（91）と、該フレーム（91）に螺着する押圧ボルト部材（92）と、を有するバイス（90）であって、
さらに、上記シャフト（２）は、外筒部材と内筒部材とを備えた二重筒構造として、左右方向伸縮自在に設けていることを特徴とするゴミ被覆保護装置。
【手続補正２】
【補正対象書類名】明細書
【補正対象項目名】全文
【補正方法】変更
【補正の内容】
【発明の詳細な説明】
【技術分野】
【０００１】
本発明は、ゴミ被覆保護装置に関する。
【背景技術】
【０００２】
従来、ゴミ集積所に置かれたゴミを、カラスや猫等の鳥獣から保護するネットが公知である（例えば、特許文献１参照）。
【先行技術文献】
【特許文献】
【０００３】
【特許文献１】特開２０１５−３４０７５公報
【発明の概要】
【発明が解決しようとする課題】
【０００４】
しかし、ネットやシート等のゴミ被覆体を展開する作業や片づける作業には、手間と時間がかかるといった問題があった。また、ゴミ集積所にゴミ被覆体が乱雑に折り畳まれたままであると、周囲の美観が損なわれるという問題があった。
【０００５】
そこで、本発明は、ゴミ被覆体を容易かつ迅速に展開及び片づけることが可能であって、さらに、不使用状態で周囲の美観を損ねることのないゴミ被覆保護装置の提供を目的とする。
【課題を解決するための手段】
【０００６】
上記目的を達成するために、本発明のゴミ被覆保護装置は、ゴミを保護するためのゴミ被覆体と、該ゴミ被覆体の基端側を取着するためのシャフトと、該シャフトを左右水平状軸心廻りに回転自在に支持する左右一対の支持部材と、該シャフトに連結され該シャフトを上記左右水平状軸心廻りに回転させるための手動ハンドルと、を備え、上記手動ハンドルにて上記シャフトを回転させて上記ゴミ被覆体を巻き取るように構成したゴミ被覆保護装置であって、上記支持部材は、上記シャフトの端部に外嵌状に取着されるベアリングから成る軸受部材と、該軸受部材の移動を阻止する軸受ケーシングと、ゴミ集積所の少なくとも一側面を形成している固定部材に固着するための取着具と、を備え、上記取着具は、上記軸受ケーシングの下面側に取着されたコの字状のフレームと、該フレームに螺着する押圧ボルト部材と、を有するバイスであって、さらに、上記シャフトは、外筒部材と内筒部材とを備えた二重筒構造として、左右方向伸縮自在に設けているものである。
【発明の効果】
【０００７】
本発明によれば、ゴミ被覆体展開作業とゴミ被覆体片づけ作業を一人で容易かつ迅速に行うことができる。しかも、熟練者でなくてもゴミ被覆体を美しくコンパクトに片づけることができ、不使用状態で周囲の美観を損ねずに保管できる。ゴミ被覆体を使用するためや、収納するために搬送する必要がなく、ゴミ被覆体の準備や片づけにかかる手間と時間を削減できる。
【図面の簡単な説明】
【０００８】
【図１】本発明に関係の深い参考例の使用展開状態の正面図である。
【図２】使用展開状態を示す断面側面図である。
【図３】使用展開状態を示す斜視図である。
【図４】シャフト巻き取り状態を示す正面図である。
【図５】シャフト巻き取り状態を示す側面図である。
【図６】本発明の実施形態のシャフト巻き取り状態を示す正面図である。
【図７】実施形態のシャフト巻き取り状態を示す側面図である。
【図８】実施形態のゴミ被覆体展開状態を示す正面図である。
【図９】実施形態のゴミ被覆体展開状態を示す断面側面図である。
【図１０】ゴミ被覆体とシャフトの取着部の一例を示す要部拡大断面図である。
【図１１】ゴミ被覆体とシャフトの取着部の他例を示す要部拡大断面図である。
【発明を実施するための形態】
【０００９】
以下、図示の実施形態及び本発明に関係の深い参考例に基づき本発明を詳説する。
本発明に関係の深い参考例のゴミ被覆保護装置は、図１乃至図３に示すように、ゴミ集積所Ｚに置かれたゴミＧを保護するためのゴミ被覆体１と、ゴミ被覆体１の基端側を取着するための１本のシャフト２と、シャフト２を左右水平状軸心Ｌａ廻りに回転自在に支持する左右一対の支持部材３，３と、シャフト２の一端部に連結されそのシャフト２を左右水平状軸心Ｌａ廻りに回転させるための手動ハンドル４と、ゴミ集積所Ｚに設置され上記一対の支持部材３，３を保持する基枠部材６と、を備えている。
【００１０】
ゴミ被覆体１は、可撓面状であって、カラスや猫等の鳥獣がゴミＧに接近して荒らし、ゴミＧが散乱するのを防止するためのものである。
ゴミ被覆体１は、図例のような合成樹脂製のネット、或いは、図示省略するが、ブールーシートや幌等の合成樹脂製のシート等である。
ゴミ被覆体１は、ゴミＧの上方側と左右側方側と手前側に配設されゴミＧを保護するための第１被覆部10Ａと、ゴミＧの後方側に配設されゴミＧを保護するための第２被覆部10Ｂと、を備えている。第１被覆部10Ａは第２被覆部10Ｂよりも幅広にかつ前後に長く設けている。
【００１１】
ゴミ被覆体１の第１被覆部10Ａは、シャフト２の巻き取り長さ（有効幅）Ｓ２よりも、長い幅寸法Ｓ１を有している。そして、ゴミ被覆体１は、基端側から先端側に渡って縦線状に形成した左右一対の折り返し用のクセ条部13，13を有している。
なお、第２被覆部10Ｂに左右一対の折り返し用のクセ条部13，13を設けても良い。
【００１２】
クセ条部13は、使用展開状態のゴミ被覆体１の左右側縁部を左右内方へ容易に折曲げることができるようにクセづけしたものであって、ゴミ被覆体１がネットの場合は、ネットを形成するための網体に紐状芯材を縫着して形成、又は、網目を形成するネット糸同士を、網目を潰すように束ねて形成したものである。
また、ゴミ被覆体１がネット或いはシートの場合は、加熱して熱変形による折り目を形成したものである。
【００１３】
そして、一方のクセ条部13（13Ａ）の左右外側縁から他方のクセ条部13（13Ｂ）の左右外側縁までのクセ部（最長）間隔寸法Ｓ１３を、上記巻き取り長さＳ２よりも短く形成している。
【００１４】
シャフト２は、図10に示すように、パイプ状であって、ラジアル方向に貫通する通し孔25を有している。通し孔25は、左右方向に複数並設している。
そして、ゴミ被覆体１がネットの場合は、樹脂製の結束バンド５を通し孔25に挿通させると共にネットの網目を通して、ネットの基端側をシャフト２に取着している。
また、図示省略するが、ゴミ被覆体１がシートの場合は、樹脂製の結束バンド５を通し孔25に挿通させると共にシートの基端縁部に形成したハトメ孔又は貫孔を通して、シートの基端側をシャフト２に取着する。
【００１５】
図10に示したゴミ被覆体１とシャフト２の取着部の一例では、ゴミ被覆体１は、第１被覆部10Ａを形成するための１枚の第１被覆基体11と、第２被覆部10Ｂを形成するための１枚の第２被覆基体12と、を備え、第１・第２被覆基体11，12の基端側を重ねて、シャフト２に取着している。
なお、図11に示す他例のように、第１被覆部10Ａ及び第２被覆部10Ｂを形成するための１枚の被覆基体10の基端側を前後方向に折り返してシャフト２に取着して、前方側を第１被覆部10Ａとし、後方（ゴミ奥側）に配設される折り返し部を第２被覆部10Ｂとするも良い。
【００１６】
図１に示すように、支持部材３は、シャフト２の端部に外嵌状に取着されるベアリングから成る軸受部材31と、軸受部材31が前後左右上下方向に移動するのを規制するプランマブロックやピローブロック等の軸受ケーシング（ホルダ）32と、を備えている。
【００１７】
図１乃至図３に示すように、基枠部材６は、ゴミ集積所Ｚに設置されるコンクリート製のブロック状の基台60と、重しとなる基台60から上方突出状に設けた１本の金属製の支柱部61と、支柱部61に連結され一対の支持部材３，３を支持する二股形状の金属製の保持部62と、一対の支持部材３，３の夫々の上部に上方突出状に固着される左右一対の金属製の柱部64，64と、柱部64の上端に連結されると共にメッセージを表示するための矩形状の表示部63と、を有している。
【００１８】
表示部63は、柱部64に固着される金属製の枠状部（看板用枠部材）63ａを有し、その枠状部63ａの前面に、メッセージが表示された板状部（看板部材）63ｂが設けられている。表示部63は、看板用枠部材63ａ及び看板部材63ｂの一方のみで構成するも良い。
なお、参考例の説明において、メッセージとは、文字に限らず絵や図形、写真も含む。例えば、会社名や店舗のロゴマーク、商品広告の絵や写真、ゴミ集積所Ｚ近傍の案内図や地図等を含む。
【００１９】
ゴミ被覆体１を片づける場合は、図１乃至図３に示した使用展開状態から、ゴミ被覆体１の第１被覆部10Ａの左右側縁部を左右内方へ折り曲げる。クセ条部13，13によって、容易に、シャフト２の巻き取り長さＳ２よりも短い幅寸法（クセ部間隔寸法Ｓ１３に同等）に折り畳まれる。また、ゴミ被覆体１の基端側がシャフト２に取着されているので一人でも容易に折り畳むことができる。
【００２０】
ゴミ被覆体１を折り畳んだ後、手動ハンドル４を左右水平状軸心Ｌａ廻りに回転させると、１本のシャフト２に第１被覆部10Ａ及び第２被覆部10Ｂが重なってロール状に巻き取られる。ゴミ被覆体１は、シャフト２の両端部にある一対の支持部材３，３に引っ掛かること無く、スムーズに巻き取られる。
【００２１】
そして、図４及び図５に示すように、ゴミ被覆体１がシャフト２にロール状に巻き取られたシャフト巻き取り状態で、ロール状のゴミ被覆体１の左右端縁にクセ条部13，13が配設されると共に折り返し重ね部19，19が形成される。
【００２２】
ここで、ゴミ被覆体１をロール状に保持する（ゴミ被覆体１の自重による垂れ下がりを防止する）ための巻き止め手段７を備えている。
巻き止め手段７は、フック部材71ａが先端部に固着されると共に基端部が基枠部材６（の表示部63）の背面側かつシャフト２よりも上方位置に固着された可撓性部材71と、基枠部材６（の表示部63の下端縁部63ｄ）の前面側かつシャフト２よりも上方位置で前方突出状に設けられたリング状の掛かり止め部材72と、を備えている。そして、可撓性部材71と掛かり止め部材（リング部材）72とを左右一対設けている。
可撓性部材71は、中間部が伸縮自在なゴムロープやゴムベルト等の弾性線材で形成している。
【００２３】
巻き止め手段７は、可撓性部材71を、基枠部材６の背面側からシャフト２に巻着したロール状のゴミ被覆体１の下方を通って、Ｕ字状に配設し、基枠部材６の前面側でフック部材71ａを掛かり止め部材72に係止させることで、ゴミ被覆体１のロール状態を保持する。
なお、ゴミ被覆体使用展開状態では、可撓性部材71は、第２被覆部10Ｂよりも後方位置で垂下状に配設される（図２参照）。
【００２４】
また、図４に於て、保持部62は、一方の支持部材３（３Ａ）の軸受ケーシング32の下面に固着する第１縦柱部62ａと、他方の支持部材３（３Ｂ）の軸受ケーシング32の下面に固着する第２縦柱部62ｂと、第１縦柱部62ａと第２縦柱部62ｂの下端部を左右方向に連結すると共に支柱部61の上端に固着される横柱部62ｃと、を有する横倒コの字状に形成され、左右一対の支持部材３，３を介して、シャフト２を橋架状に支持している。
第１縦柱部62ａと第２縦柱部62ｂによって、シャフト２と横柱部62ｃが所定の上下離間寸法をもって配設され、横柱部62ｃとシャフト２の間にゴミ被覆体巻き取り用のシャフト下方空間を形成している。
また、左右一対の柱部64，64によって、表示部63の下端縁部63ｄとシャフト２とは所定の上下間隙寸法をもって配設され、表示部63とシャフト２の間にゴミ被覆体巻き取り用のシャフト上方空間部を形成している。
このように、下から順に、基台60、支柱部61、支持部62、シャフト２、表示部63と上下方向に配設することで、シャフト巻き取り状態において、表示部63とロール状のゴミ被覆体１を前後方向略同位置に配設でき、装置全体を前後方向に薄いスタンド（自立）看板型に形成できて、ゴミ集積所Ｚを有効に使用できる。また、シャフト２及び支持部材３よりも上方位置に表示部63を配設しているため、メッセージを読む際にゴミ被覆体１が邪魔にならない。
【００２５】
そして、ゴミ被覆体１を展開させる場合は、掛かり止め部材72からフック部材71ａを離脱させ、ゴミ被覆体１（第１被覆部10Ａ）の先端縁部を把持して手前側に、手動にて引き出すことで、シャフト２が回転し、ゴミ被覆体１はシャフト２からスムーズに繰り出される。また、第２被覆部10Ｂは、自重にて垂下して展開し、垂れ幕状にゴミＧの後方側に配設される。そして、折り曲げていた第１被覆部10Ａを左右方向に展開し、ゴミ被覆体１がゴミＧの上方側と左右側方側（左右外方側）と手前側に配設され、ゴミＧを保護する（鳥獣によるゴミの散乱を防止する）。
【００２６】
次に、実施形態について説明する。
図６乃至図９に示すように、ブロック塀やコンクリート壁等の固定部材Ｋによって少なくとも一側面が形成されるゴミ集積所Ｚに設置されるものであって、ゴミＧを保護するためのゴミ被覆体１と、ゴミ被覆体１の基端側を取着するためのシャフト２と、シャフト２を左右水平状軸心Ｌａ廻りに回転自在に支持する左右一対の支持部材３，３と、シャフト２に連結されシャフト２を左右水平状軸心Ｌａ廻りに回転させるための手動ハンドル４と、を備え、手動ハンドル４にてシャフト２を回転させてゴミ被覆体１を巻き取るように構成している。
【００２７】
そして、支持部材３は、シャフト２の端部に外嵌状に取着する軸受部材31と、軸受部材31が前後左右上下方向に移動するのを規制する軸受ケーシング32と、を備え、さらに、固定部材Ｋの上部乃至中間部に固着するための取着具９を備えている。
【００２８】
取着具９は、軸受ケーシング32に取着されたシャコ万力やコ型クランプ等のバイス90から成る。
図例においては、ゴミ集積所Ｚの背面を形成する背面側固定部材Ｋ（Ｋ１）の上縁部に、バイス90のコの字状のフレーム91を跨がせて、フレーム91に螺着している押圧ボルト部材92を螺進させて、固着している。つまり、シャフト２を背面側固定部材Ｋ１の上縁部に沿って左右水平状に設置している。
【００２９】
また、図示省略するが、ゴミ集積所Ｚの左右一方側面を形成する左右一方側固定部材Ｋ（Ｋ２）と、左右他方側面を形成する左右他方側固定部材Ｋ（Ｋ３）とに、夫々、バイス90のフレーム91を跨がらせて、固着させても良い。つまり、シャフト２を、支持部材３を介して左右側固定部材Ｋ２，Ｋ３に橋架状に配設しても良い。
【００３０】
他の構成（ゴミ被覆体１とシャフト２、及び、シャフト２とゴミ被覆体１の取着構造等）は、図１乃至図５、及び、図10と図11を用いて説明した参考例と同様である。なお、図６乃至図９においてクセ条部13を図示省略している。
【００３１】
また、図示省略するが、シャフト２を、外筒部材と内筒部材で二重筒状に構成し、左右方向に伸縮自在に設けている。また、シャフト巻き取り状態においてゴミ被覆体１をロール状に保持するための可撓性部材を備えても良い。
【００３２】
なお、本発明は、設計変更可能であって、ゴミ被覆体１をシャフト２に取着する構造は、樹脂製線材や針金等を用いても良い。あるいは、通し孔25をネジ孔とし、ネジ部材にて取着しても良い。シャフト２や基枠部材６は、鉄やステンレス等の金属製に限らず、塩ビパイプ等の樹脂製であっても良い。手動ハンドル４は、シャフト２の一端部に着脱自在に設けて良い。また、手動ハンドル４の握り部を左右内方へ折り畳み（曲げ）自在に構成しても良い。固定部材Ｋは、金網や柵等であっても良い。取着具９は、左右水平状軸心Ｌａに直交する軸心廻りに回転自在に軸受ケーシング32に取着しても良い。
【００３３】
以上のように本発明のゴミ被覆保護装置は、ゴミＧを保護するためのゴミ被覆体１と、ゴミ被覆体１の基端側を取着するためのシャフト２と、シャフト２を左右水平状軸心Ｌａ廻りに回転自在に支持する左右一対の支持部材３，３と、シャフト２に連結されシャフト２を左右水平状軸心Ｌａ廻りに回転させるための手動ハンドル４と、を備え、手動ハンドル４にてシャフト２を回転させてゴミ被覆体１を巻き取るように構成したので、ゴミ被覆体展開作業とゴミ被覆体片づけ作業を一人で容易かつ迅速に行うことができる。しかも、熟練者でなくてもゴミ被覆体１をロール状に美しくコンパクトに片づけることができ、ゴミ被覆体不使用状態で、周囲の美観を損ねずに保管できる。ゴミ被覆体１を使用するためや収納するために搬送する必要がなく、ゴミ被覆体１の準備や片づけにかかる手間と時間を削減できる。電源等の動力源が必要無く、省エネの面からも優れている。構造が簡素で故障の虞れが少なく、保守・点検等の手間を削減できる。
【００３４】
また、参考例は、ゴミ集積所Ｚに設置される基枠部材６を備え、基枠部材６は、基台60と、基台60から上方突出状の支柱部61と、一対の支持部材３，３を保持する保持部62と、メッセージを表示するための表示部63と、を有するので、ゴミ集積所Ｚを、案内図や広告を表示するスペースとして有効利用できる。装置全体がスタンド型看板形状となって、周囲の美観を損ねることなく、常時、ゴミ集積所Ｚに設置できる。
【００３５】
また、本発明のゴミ被覆保護装置の支持部材３は、ゴミ集積所Ｚの少なくとも一側面を形成している固定部材Ｋに固着するための取着具９を、備えているので、構造が簡素で、周囲の美観を損ねずにゴミ集積所Ｚに一体状に設置できる。製造を容易かつ迅速に行うことができる。
【００３６】
また、ゴミ被覆体１は、ゴミＧの上方側と左右側方側と手前側に配設される第１被覆部10Ａと、ゴミＧの後方側に配設される第２被覆部10Ｂと、を備え、１本の上記シャフト２に巻き取られるように構成したので、ゴミ被覆体１を効率良く展開でき、様々な方向からゴミＧを保護できる。第１被覆部10Ａと第２被覆部10Ｂとを一人でも容易に素早くシャフト２に巻き取るとこができる。
【００３７】
また、ゴミ被覆体１は、シャフト２の巻き取り長さＳ２よりも長い幅寸法Ｓ１を有し、シャフト巻き取り状態で、左右端縁に折り返し重ね部19，19が形成されているので、シャフト２の巻き取り長さＳ２よりも幅広くゴミＧを保護できる。つまり、左右幅の広いゴミ集積所Ｚに対応できる。言い換えると、幅広のゴミ被覆体１を、コンパクトに片づけることができる。
【００３８】
また、シャフト２は、ラジアル方向に貫設した複数の通し孔25を備え、ゴミ被覆体１の基端側を、通し孔25に結束バンド５を挿通して取着したので、ゴミ被覆体１を容易に強い締め付け力をもって取着できる。ゴミ被覆体１が劣化や破損した場合に、結束バンド５をニッパーやハサミ等の切断工具で切断することで、容易に交換できる。様々な種類（網目）のゴミ被覆体１をシャフト２に取着できる。シャフト２を容易に（安価に）製作できる。
また、ゴミ被覆体１をネットとする場合は、所望の位置や長さで容易にシャフト２に取着させることができる。
また、ゴミ被覆体１をシートとする場合は、ゴミＧが雨や雪で濡れるのを防止できる。また、ゴミＧを周囲から隠して美観を向上できる。
【符号の説明】
【００３９】
１  ゴミ被覆体
２  シャフト
３  支持部材
４  手動ハンドル
５  結束バンド
６  基枠部材
９  取着具
10Ａ  第１被覆部
10Ｂ  第２被覆部
19  折り返し重ね部
25  通し孔
60  基台
61  支柱部
62  保持部
63  表示部
Ｇ  ゴミ
Ｋ  固定部材
Ｌａ  左右水平状軸心
Ｓ１  幅寸法
Ｓ２  巻き取り長さ
Ｚ  ゴミ集積所
【手続補正３】
【補正対象書類名】図面
【補正対象項目名】図５
【補正方法】変更
【補正の内容】
【図５】
2017001847.tif 000014